(57)【要約】【課題】安価で簡単な構成からなるドアロック装置を提供すること。【解決手段】ドアロック装置は、ハンドル１２に取り付けられた押しボタン２０と、押しボタン２０に取り付けられた押しボタン軸２２と、押しボタン２０の裏面側に設けられたサポートプレート２３と、サポートプレート２３と押しボタン２０との間に設けられ、押しボタン軸２２の裏面側への移動を妨げるように付勢するスプリング２５と、押しボタン軸２２の先端に取り付けられ、サポートプレート２３の裏面側に位置するナットＮ１と、サポートプレート２３の裏面側であって、押しボタン軸２２の下方の位置に左右方向に取り付けられた回転軸２６と、回転軸２６を中心に揺動可能に取り付けられた斜め下方に下がる下方部２８を備えるとともに、サポートプレート２３とナットＮ１との間で保持される上方部２９を備えるロックプレート２７と、ロックプレート２７の前方側に位置し、ロックプレート２７の下方部２８が上方へ揺動した場合に係合してドア１０をロックすることができるフック部１９とを備える。【選択図】図１
2004178066.tif 000002
【特許請求の範囲】
【請求項１】
押しボタンを押すことにより、ロックが解除されるドアロック装置において、
ハンドルの取付孔に前後動可能に取り付けられた押しボタンと、
前記押しボタンに取り付けられた押しボタン軸と、
前記押しボタンの裏面側に設けられたサポートプレートと、
前記サポートプレートと前記押しボタンとの間に設けられ、前記押しボタン軸の裏面側への移動を妨げるように付勢する弾性部材と、
前記押しボタン軸の先端に取り付けられ、前記サポートプレートの裏面側に位置する保持部材と、
前記サポートプレートの裏面側であって、前記押しボタン軸の下方の位置に取り付けられた回転軸と、
前記回転軸を中心に揺動可能に取り付けられた斜め下方に下がる下方部を備えるとともに、前記サポートプレートと前記保持部材との間で保持される上方部を備えるロックプレートと、
前記ロックプレートの前方側に位置し、前記ロックプレートの下方部が上方へ揺動した場合に係合してドアをロックすることができる係合部とを備えることを特徴とするドアロック装置。
【発明の詳細な説明】
【０００１】
【発明の属する技術分野】
本発明は、押しボタンを押して、ロックが解除されることにより、ドアが開くドアロック装置に関するものである。
【０００２】
【従来の技術】
従来より、各種のドアロックを備えたドアが提案されている。例えば、下記特許文献１に記載されている扉１の場合、扉１を押すと、受金棒５がカム斜面に力を加えるため、フック板１０はフックバネ１３の付勢に抗して回動し、フック部２４とブラケット７の肩部２７の間に、受金棒５が入り込み、板バネ６が受金棒５によって押さえ込まれ、扉１は閉鎖位置に施錠される。また、押しボタン３を押すと、連動軸８が逃げ孔２０中を移動し、フック板１０がフックバネ１３の付勢に抗して回動し、フック板１０のフック部２４とブラケット７の肩部２７の間にくわえ込まれている受金棒５が開放されるため、施錠が解除される。
【０００３】
【特許文献１】
特開平６−２９９７５３号公報（（００１２）、（０００９）、図１０）
【０００４】
【発明が解決しようとする課題】
しかし、下記特許文献１に記載されている扉１の場合、フック板１０には、フックバネ１３等が必要であって、コストアップするとともに構成が複雑になるという問題点があった。
そこで、本発明は、上述した問題を解決するためになされたものであり、安価で簡単な構成からなるドアロック装置を提供することを目的する。
【０００５】
【課題を解決するための手段】
前記目的を達成するため請求項１に係る発明によれば、押しボタンを押すことにより、ロックが解除されるドアロック装置において、ハンドルの取付孔に前後動可能に取り付けられた押しボタンと、前記押しボタンに取り付けられた押しボタン軸と、前記押しボタンの裏面側に設けられたサポートプレートと、前記サポートプレートと前記押しボタンとの間に設けられ、前記押しボタン軸の裏面側への移動を妨げるように付勢する弾性部材と、前記押しボタン軸の先端に取り付けられ、前記サポートプレートの裏面側に位置する保持部材と、前記サポートプレートの裏面側であって、前記押しボタン軸の下方の位置に取り付けられた回転軸と、前記回転軸を中心に揺動可能に取り付けられた斜め下方に下がる下方部を備えるとともに、前記サポートプレートと前記保持部材との間で保持される上方部を備えるロックプレートと、前記ロックプレートの前方側に位置し、前記ロックプレートの下方部が上方へ揺動した場合に係合してドアをロックすることができる係合部とを備えることを特徴とする。
【０００６】
請求項１に係るドアロック装置によれば、押しボタンを押すと、押しボタン軸が弾性部材の付勢に抗して前側に移動し、押しボタン軸の先端の保持部材も前側に移動する。すると、ロックプレートの上方部は、サポートプレートと保持部材とによって保持されていたのが移動可能になって、斜め下方に下がる下方部は自重でもって下方へ揺動し、ロックプレートの下方部が係合部から離脱し、ロックが解除されてドアを開くことができる。
押しボタンの押すのを止めると、弾性部材の付勢力によって押しボタン軸が後側に移動し、押しボタン軸の先端の保持部材も後側に移動する。すると、ロックプレートの上方部は、サポートプレートと保持部材とによって保持され、ロックプレートの前方部が上方へ揺動し、係合部はロックプレートの下方部と係合して、ドアをロックすることができる。
【０００７】
【発明の実施の形態】
以下、本発明に係るドアロック装置につき具体化した実施形態に基づいて図面を参照しつつ詳細に説明する。図１は、本実施の形態のドアロック装置を示す拡大断面図である。図２は、ドアロック装置のドアロックハンドル上部の裏面図である。図３は、ドアロック装置のドアロックハンドルの正面図である。図４は、ドアロック装置の拡大断面図であって、ドアが閉まる直前の状態である。図５は、ドアロック装置の拡大断面図であって、ドアが閉まった状態である。図６は、ドアロック装置の拡大断面図であって、押しボタンを押した状態である。
【０００８】
本実施の形態のドア１０は、図１に示すように、ビール、炭酸水等の清涼飲料水等の飲料を供給するディスペンサ等に用いられるものであるので、ドア１０には、清涼飲料水等の飲料を保温するため、断熱パネル１１が使用される。ドア１０の表面側には、ドアロックとハンドルとが一体構造をなすドアロックハンドル１２が取り付けられている。ドアロックハンドル１２の取り付け方としては、断熱パネル１１が取り付けられていない空洞部分１３、１４に差し込んだ２本のハンドル固定用ネジ１５、１６をドアロックハンドル１２に締め付けることにより固定する。このように２本の上下のハンドル固定用ネジ１５、１６で締め付けることにより、簡単に短時間で固定することができる。また、断熱パネル１１の空洞部分１３、１４が小さいため、断熱パネル１１の断熱性は保持される。
【０００９】
ドア１０の裏面側には、飲料を供給するための飲料供給部（図示せず）を備える製品本体１７が設けられている。製品本体１７の表側においては、ドア１０の空洞部分１３に対向する位置に、ドア１０をロックするための係合部として、先端部１８が斜め下方に下がるフック部１９が設けられている。この場合、先端部１８は、約６０度の角度に曲げ加工してあり、後述するロックプレート２７の円弧状の爪部２８ｂとかみ合うことになって、ドア１０がロックされる。
ドアロックハンドル１２の上方には、図３に示すように、押しボタン２０用の取付孔２１が設けられている。ドアロックハンドル１２の押しボタン２０は、押しボタン２０より大きめの取付孔２１に前後動可能に取り付けられている。利用者が押しボタン２０を押すことにより、後述するように、フック部１９のロックが解除されるようになっている。
【００１０】
押しボタン２０の裏側の穴部２０ａには、製品本体１７側に延びる押しボタン軸２２が、押しボタン２０の前後動と連動可能となるように差し込まれている。そのため、図６に示すように、押しボタン２０を押すと、押しボタン軸２２が製品本体１７側に押されることになる。この場合、サポートプレート２３の中心を、押しボタン軸２２が貫通することにより、押しボタン２０及び押しボタン軸２２が円滑に移動することができる。
【００１１】
押しボタン２０の裏面側のドアロックハンドル１２の取り付け位置には、サポートプレート２３が皿小ネジ２４でもって固定されている。この場合、サポートプレート２３は、ドアロックハンドル１２の補強の役割を果たしている。
前記サポートプレート２３と押しボタン２０との間に、押しボタン軸２２の前側（製品本体１７側）への移動を妨げるように付勢するスプリング２５が取り付けられている。そのため、押しボタン２０を押すのを止めると、スプリング２５が押しボタン２０を付勢することにより、押しボタン２０が後側へ移動して押す前の位置に戻るので、押しボタン軸２２が後側へ移動して押す前の位置に戻る。尚、サポートプレート２３は、押しボタン２０、押しボタン軸２２、及びスプリング２５等をドアロックハンドル１２に収納し動作を確認した状態で、皿小ネジ２４でもって締め付けられるので、確実に固定される。
【００１２】
押しボタン軸２２の先端前側の、前記サポートプレート２３の裏面側には、ロックプレート２７（後述）を保持するための保持部材としてのナットＮ１が取り付けられている。そして、押しボタン軸２２に対するナットＮ１の締め具合でもって、サポートプレート２３の裏面側に設けられるロックプレート２７を保持する空間の大きさＬ１が調節される。
サポートプレート２３の裏面側であって、押しボタン軸２２の下方の位置には、図２に示すように、左右の支持部２６ａが取り付けられ、左右の支持部２６ａには、ロックプレート２７を保持するための左右方向に延びる回転軸２６が、取り付けられている。
【００１３】
ロックプレート２７は、回転軸２６を中心に揺動可能に取り付けられた斜め下方に下がる下方部２８と、サポートプレート２３とナットＮ１との間で保持される上方部２９とを備えている。この場合、上方部２９は、サポートプレート２３側に折り曲げられて、サポートプレート２３に当たるようにしたので、ストッパの役割を果たすことができる。下方部２８は、斜め下方に下がる板部２８ａと、板部２８ａの下端に取り付けられた円弧状の爪部２８ｂとからなる。
そして、ロックプレート２７を支持する回転軸２６は、押しボタン２０より下方に位置するので、上方部２９がサポートプレート２３とナットＮ１との間で保持されなくなると、下方部２８は回転軸２６を中心に揺動して、自重により斜め下方に下がることになる。一方、上方部２９がサポートプレート２３とナットＮ１との間で保持されると、下方部２８は回転軸２６を中心に揺動して、上方へ上がることになる。そして、上方へ上がる下方部２８の円弧状の爪部２８ｂと、フック部１９の先端部１８とがかみ合うことにより、円弧状の爪部２８ｂとフック部１９の先端部１８との間のクリアランスを小さくすることができ、ロックプレート２７の動きもスムーズになる。
【００１４】
そのため、利用者が押しボタン２０を押すと、図６に示すように、押しボタン軸２２の先端のナットＮ１が押されることにより空間Ｌ１が大きくなって、上方部２９はサポートプレート２３とナットＮ１とによって保持されていたのが移動可能になるので、円弧状の爪部２８ｂを備える下方部２８は、自重により斜め下方に下がり、円弧状の爪部２８ｂとフック部１９の先端部１８との係合状態が外れることになる。そして、ドアロックハンドル１２を引くと、ドア１０を製品本体１７より開くことができる。
それに対して、押しボタン２０を押すのを止めると、ボタン２０が後側へ移動して押す前の位置に戻り、押しボタン軸２２が後側へ移動して押す前の位置に戻った状態となり、ナットＮ１でもって保持されることになるので、円弧状の爪部２８ｂを備える下方部２８は、回転軸２６を中心に上方へ上がり、円弧状の爪部２８ｂとフック部１９の先端部１８とは係合状態になる。そのため押しボタン２０を押さない限り、ドアロックハンドル１２を引いてもドア１０は製品本体１７より開くことはできない。
【００１５】
また、ドア１０が製品本体１７より開いた状態で、下方部２８の円弧状の爪部２８ｂは、フック部１９の先端部１８から離れた状態にあるが、利用者が押しボタン２０を押していないので、下方部２８の円弧状の爪部２８ｂは、回転軸２６を中心に上方へ上がった状態にある。その後、図４に示すように、ドア１０を製品本体１７に閉じると、円弧状の爪部２８ｂがフック部１９の先端部１８に当たって、円弧状の爪部２８ｂがフック部１９によって下方に下がった状態になる。そして、下方部２８の円弧状の爪部２８ｂは、図５に示すように、回転軸２６を中心に上方へ上がった状態になり、爪部２８ｂは、フック部１９の先端部１８と係合状態になる。そのため押しボタン２０を押さない限り、ドアロックハンドル１２を引いてもドア１０は製品本体１７より開くことはできない。
【００１６】
以上上述した如く、この実施の形態の発明によれば、ドアロック装置は、ハンドル１２の取付孔２１に前後動可能に取り付けられた押しボタン２０と、押しボタン２０に取り付けられた押しボタン軸２２と、押しボタン２０の裏面側に設けられたサポートプレート２３と、サポートプレート２３と押しボタン２０との間に設けられ、押しボタン軸２２の裏面側への移動を妨げるように付勢するスプリング２５と、押しボタン軸２２の先端に取り付けられ、サポートプレート２３の裏面側に位置するナットＮ１と、サポートプレート２３の裏面側であって、押しボタン軸２２の下方の位置に左右方向に取り付けられた回転軸２６と、回転軸２６を中心に揺動可能に取り付けられた斜め下方に下がる下方部２８を備えるとともに、サポートプレート２３とナットＮ１との間で保持される上方部２９を備えるロックプレート２７と、ロックプレート２７の前方側に位置し、ロックプレート２７の下方部２８が上方へ揺動した場合に係合してドア１０をロックすることができるフック部１９とを備える。
【００１７】
それにより、押しボタン２０を押すと、押しボタン軸２２の先端のナットＮ１も前側に移動するため、ロックプレート２７の上方部２９は、サポートプレート２３とナットＮ１とによって保持されていたのが移動可能になって、斜め下方に下がる下方部２８は自重でもって下方へ揺動し、ロックプレート２７の下方部２８の爪部２８ｂがフック部１９の先端部１８から離脱し、ロックが解除されてドア１０を開くことができるのに対して、押しボタン２０の押すのを止めると、ロックプレート２７の上方部２９は、サポートプレート２３とナットＮ１とによって保持され、ロックプレート２７の下方部２８の爪部２８ｂがフック部１９の先端部１８が上方へ揺動し、ドア１０をロックすることができるので、このドアロック装置は、極めて安価で簡単な構成からなる。
【００１８】
また、ドアロックハンドル１２内に、押しボタン２０、押しボタン軸２２、スプリング２５を収納して、サポートプレート２３で蓋をして、サポートプレート２３とナットＮ１とによってロックプレート２７が保持されるので、ドアロックハンドル１２、押しボタン２０、押しボタン軸２２、スプリング２５、サポートプレート２３、ナットＮ１等は一体化して簡単な構成となって、ドアロックハンドル１２はコンパクトになる。
また、ロックプレート２７の回転軸２６を押しボタン２０より下方に配置し、ロックプレート２７の下方部２８を、下方から上方に向かって揺動させてフック部１９の先端部１８に係合させたので、ドアロックハンドル１２の中心に近い位置でロックが可能となり、ドアロックハンドル１２の中心とロックの位置のずれが少なくなった。
また、板部２８ａと円弧状の爪部２８ｂとを別部材にすることにより、円弧状の爪部２８ｂを取り替えることができ、ドア１０の厚さに対して任意に対応するることができる。
【００１９】
尚、本発明は、前記各実施形態に限定されるものではなく、本発明の要旨を逸脱しない範囲内で種々の改良、変形が可能であることは勿論である。
また、本発明の実施の形態は上述した例に限らず、様々な形態に応用が可能である。例えば図７に示すように、ナットＮ１のゆるみ止め防止部材Ｎ２を裏側支持板Ｎ３に設けてもよい。また、ロックプレート２７の下方部２８を、図８に示すように、円弧状の爪部を形成しない折り曲げ部にしてもよい。
【００２０】
【発明の効果】
請求項１に係るドアロック装置によれば、押しボタンを押すと、押しボタン軸の先端の保持部材も前側に移動するため、ロックプレートの上方部は、サポートプレートと保持部材とによって保持されていたのが移動可能になって、斜め下方に下がる下方部は自重でもって下方へ揺動し、ロックプレートの下方部が係合部から離脱し、ロックが解除されてドアを開くことができるのに対して、押しボタンの押すのを止めると、弾性部材の付勢力によって押しボタン軸が後側に移動し、保持部材も後側に移動し、ロックプレートの上方部は、サポートプレートと保持部材とによって保持され、ロックプレートの下方部が上方へ揺動し、係合部はロックプレートの下方部と係合して、ドアをロックすることができるので、本発明のドアロック装置は、従来技術の特許文献に比べて、極めて安価で簡単な構成からなる。
【図面の簡単な説明】
【図１】本実施の形態のドアロック装置の拡大断面図であって、ドアが開いた状態である。
【図２】本実施の形態のドアロック装置のドアロックハンドル上部の裏面図である。
【図３】本実施の形態のドアロック装置のドアロックハンドルの正面図である。
【図４】本実施の形態のドアロック装置の拡大断面図であって、ドアが閉まる直前の状態である。
【図５】本実施の形態のドアロック装置の拡大断面図であって、ドアが閉まった状態である。
【図６】本実施の形態のドアロック装置の拡大断面図であって、押しボタンを押した状態である。
【図７】他の実施の形態のドアロック装置の拡大断面図である。
【図８】他の実施の形態のドアロック装置の拡大断面図である。
【符号の説明】
１０・・・ドア、１２・・・ドアロックハンドル、１７・・・製品本体
１８・・・先端部、１９・・・フック部
２０・・・押しボタン、２１・・・取付孔、２２・・・押しボタン軸
２３・・・サポートプレート、２５・・・スプリング、Ｎ１・・・ナット
２６・・・回転軸、２７・・・ロックプレート、２８・・・下方部
２８ｂ・・・爪部、２９・・・上方部
【図１】
2004178066.tif 000003
【図２】
2004178066.tif 000004
【図３】
2004178066.tif 000005
【図４】
2004178066.tif 000006
【図５】
2004178066.tif 000007
【図６】
2004178066.tif 000008
【図７】
2004178066.tif 000009
【図８】
2004178066.tif 000010